(57)【特許請求の範囲】
【請求項１】
被写体を撮像する撮像部と、
接眼式の第１の表示部と、
直視型の第２の表示部と、
前記撮像部から出力される画像信号を画像処理して前記第１の表示部と前記第２の表示部とにそれぞれライブビュー表示すると共に、前記撮像に係る画質調整用の情報を前記第１の表示部に表示するときには前記撮像に係る画質調整用の情報が前記ライブビュー表示よりも目立たなくなるように設定し、前記撮像に係る画質調整用の情報を前記第２の表示部に表示するときには前記撮像に係る画質調整用の情報が前記ライブビュー表示よりも目立つように設定する信号処理制御部と、
を具備することを特徴とする撮像装置。
【請求項２】
前記第１の表示部に対してユーザの眼部が少なくとも近付いているか否かを検出する接眼センサを有し、
前記信号処理制御部は、前記接眼センサの検出により前記眼部が近付いていることを検出し、かつ、前記撮像に係る画質調整を行うと判定したときに前記撮像に係る画質調整用の情報を前記第１の表示部に表示する、
ことを特徴とする請求項１記載の撮像装置。
【請求項３】
前記第１の表示部に対してユーザの眼部が少なくとも近付いているか否かを検出する接眼センサを有し、
前記信号処理制御部は、前記接眼センサの検出により前記眼部が近付いていないことを検出し、かつ、前記撮像に係る画質調整を行うと判定したときに前記撮像に係る画質調整用の情報を前記第２の表示部に表示する、
ことを特徴とする請求項１記載の撮像装置。
【請求項４】
前記信号処理制御部は、前記撮像に係る画質調整用の情報を前記第２の表示部に表示するときには前記ライブビュー表示を消す、
ことを特徴とする請求項１記載の撮像装置。
【請求項５】
前記信号処理制御部は、前記撮像に係る画質調整用の情報の重畳表示を２次元のグラフにより表示する、
ことを特徴とする請求項１乃至４のうちいずれか１項記載の撮像装置。
【請求項６】
前記画質調整用の情報は、前記画像信号の階調を示すトーンカーブ、前記画像信号のホワイトバランス、露出又は色を含む、
ことを特徴とする請求項１乃至５のうちいずれか１項記載の撮像装置。
【請求項７】
前記第２の表示部は、当該撮像装置に対してリトラクタブルであり、
前記信号処理制御部は、前記第２の表示部が当該撮像装置から引き出され、かつ、前記撮像に係る画質調整用の情報を前記第２の表示部に表示するときには前記撮像に係る画質調整用の情報が前記ライブビュー表示よりも目立たなくなるように設定する、
ことを特徴とする請求項１乃至６のいずれか１項記載の撮像装置。
【請求項８】
前記信号処理制御部は、前記撮像に係る画質調整用の情報を前記第１の表示部に表示するときには前記撮像に係る画質調整用の情報が前記ライブビュー表示よりも暗く表示されるように設定し、前記撮像に係る画質調整用の情報を前記第２の表示部に表示するときには前記撮像に係る画質調整用の情報が前記ライブビュー表示よりも明るく表示されるように設定する、
ことを特徴とする請求項１記載の撮像装置。
【請求項９】
前記信号処理制御部は、タッチパネルの出力信号に基づいて前記撮像に係る画質調整を行う、
ことを特徴とする請求項１乃至８のうちいずれか１項記載の撮像装置。
【請求項１０】
前記信号処理制御部は、
前記第１の表示部又は前記第２の表示部に前記ライブビュー表示が表示されているときに前記タッチパネルがタッチされたときに前記撮像部による前記撮像を実行し、
前記撮像に係る画質調整用の情報を前記第２の表示部に表示するときには前記タッチパネルがタッチされても前記撮像を実行しない、
ことを特徴とする請求項９記載の撮像装置。
【請求項１１】
前記信号処理制御部は、画質調整用の情報を表示する線の太さ、明るさ、色、又は、透過度を設定することを特徴とする請求項１乃至１０のうちのいずれか１項記載の撮像装置。
【請求項１２】
被写体を撮像部により撮像し、この撮像部から出力される画像信号を画像処理してそのライブビュー表示を接眼式の第１の表示部と直視型の第２の表示部とにそれぞれ表示する撮像装置の撮像方法において、
前記撮像に係る画質調整用の情報を前記第１の表示部に表示するときには前記撮像に係る画質調整用の情報が前記ライブビュー表示よりも目立たなくなるように設定し、
前記撮像に係る画質調整用の情報を前記第２の表示部に表示するときには前記撮像に係る画質調整用の情報が前記ライブビュー表示よりも目立つように設定する、
ことを特徴とする撮像装置の画質調整方法。
【請求項１３】
被写体を撮像部により撮像し、この撮像部から出力される画像信号を画像処理してそのライブビュー表示を接眼式の第１の表示部と直視型の第２の表示部とにそれぞれ表示する撮像装置の画質調整プログラムにおいて、
コンピュータに、前記撮像に係る画質調整用の情報を前記第１の表示部に表示するときには前記撮像に係る画質調整用の情報が前記ライブビュー表示よりも目立たなくなるように設定し、前記撮像に係る画質調整用の情報を前記第２の表示部に表示するときには前記撮像に係る画質調整用の情報が前記ライブビュー表示よりも目立つように設定する画質調整機能、
を実現させるための撮像装置の画質調整プログラム。
【発明の詳細な説明】
【技術分野】
【０００１】
本発明は、被写体の撮像や被写体を撮像するときの画質調整の操作性を向上する撮像装置及び画質調整方法、画質調整プログラムに関する。
【背景技術】
【０００２】
ファインダと背面モニタとの双方で被写体を確認しながら撮影が可能なデジタル一眼レフカメラが多数提案されている。これらカメラは、ファインダ、背面モニタそれぞれに適応した情報表示や設定の方法にも様々な工夫がなされている。  
更に、近年は、電子式ファインダ、所謂ＥＶＦを搭載したカメラも多数提案され、従来の光学ファインダに比べて、情報表示の量、質が格段に改善されているばかりでなく、ファインダ内で被写体画像の構図やピントだけではなく、色や露出レベルをシミュレーションして、リアルタイムに表示できるようになってきている。  
特許文献１は、撮像素子によって取得される被写体像をライブビュー画像として背面モニタに表示し、ＡＦエリアの位置を表す位置表示をライブビュー画像に重畳して表示することを開示する。
【先行技術文献】
【特許文献】
【０００３】
【特許文献１】特開２００８−１５２０７８号公報
【発明の概要】
【発明が解決しようとする課題】
【０００４】
撮像装置には、ファインダと背面モニタとが設けられ、ユーザは各々で被写体像を確認することが可能である。  
ユーザは、これら被写体像で構図、ピントや仕上がりをイメージしながらフレーミングや各種設定を行って撮影をすることができる。このときに最も重要なのは、被写体に意識を集中しながらも、設定値の変更や確認が容易にできることである。
【０００５】
特許文献１に開示されている撮像装置は、ファインダ撮影、モニタ撮影それぞれの最適化した良好なＡＦ操作性を提供している。  
しかしながら、ＡＦ以外のパラメータ設定や、近年商品化されているＥＶＦ搭載撮像装置の利点である画像シミュレーション機能や、画質調整パラメータ設定操作には言及されていない。  
被写体を撮像するときにユーザは、ファインダ内の被写体に意識を集中して被写体像やその構図を決めるので、ファインダ内には、認識性の良い被写体像を表示することが要望される。
【０００６】
本発明の目的は、被写体の撮像や被写体を撮像するときの画質調整の操作性を向上する撮像装置及び画質調整方法、画質調整プログラムを提供することにある。
【課題を解決するための手段】
【０００７】
本発明の主要な局面に係る撮像装置は、被写体を撮像する撮像部と、接眼式の第１の表示部と、直視型の第２の表示部と、前記撮像部から出力される画像信号を画像処理して前記第１の表示部と前記第２の表示部とにそれぞれライブビュー表示すると共に、前記撮像に係る画質調整用の情報を前記第１の表示部に表示するときには前記撮像に係る画質調整用の情報が前記ライブビュー表示よりも目立たなくなるように設定し、前記撮像に係る画質調整用の情報を前記第２の表示部に表示するときには前記撮像に係る画質調整用の情報が前記ライブビュー表示よりも目立つように設定する信号処理制御部とを具備する。
【０００８】
本発明の主要な局面に係る撮像装置の画質調整方法は、被写体を撮像部により撮像し、この撮像部から出力される画像信号を画像処理してそのライブビュー表示を接眼式の第１の表示部と直視型の第２の表示部とにそれぞれ表示する撮像装置の撮像方法において、前記撮像に係る画質調整用の情報を前記第１の表示部に表示するときには前記撮像に係る画質調整用の情報が前記ライブビュー表示よりも目立たなくなるように設定し、前記撮像に係る画質調整用の情報を前記第２の表示部に表示するときには前記撮像に係る画質調整用の情報が前記ライブビュー表示よりも目立つように設定する。
【０００９】
本発明の主要な局面に係る撮像装置の画質調整プログラムは、被写体を撮像部により撮像し、この撮像部から出力される画像信号を画像処理してそのライブビュー表示を接眼式の第１の表示部と直視型の第２の表示部とにそれぞれ表示する撮像装置の画質調整プログラムにおいて、コンピュータに、前記撮像に係る画質調整用の情報を前記第１の表示部に表示するときには前記撮像に係る画質調整用の情報が前記ライブビュー表示よりも目立たなくなるように設定し、前記撮像に係る画質調整用の情報を前記第２の表示部に表示するときには前記撮像に係る画質調整用の情報が前記ライブビュー表示よりも目立つように設定する画質調整機能を実現させる。
【発明の効果】
【００１０】
本発明によれば、被写体の撮像や被写体を撮像するときの画質調整の操作性を向上できる撮像装置及び画質調整方法、画質調整プログラムを提供できる。
【図面の簡単な説明】
【００１１】
【図１Ａ】本発明に係る撮像装置の第１の実施の形態を示す機能ブロック図。
【図１Ｂ】同装置背面のＥＶＦ用接眼部及びタッチパネル付ＬＣＤへの表示例を示す図。
【図２】同装置におけるトーンカーブの調整用データ示す模式図。
【図３】同装置によりトーンカーブを調整して暗い領域を一層暗くした画像データの一例を示す模式図。
【図４】同装置によりトーンカーブを調整して明るい領域を一層明るくした画像データの一例を示す模式図。
【図５】同装置によりトーンカーブ調整用データにより調整したときの画像データの輝度レベル変化を示す図。
【図６】同装置におけるホワイトバランスを調整するための調整用データを示す模式図。
【図７】同装置における露出制御系の調整用データを示す模式図。
【図８】同装置における表示制御フローチャート。
【図９】同装置におけるＥＶＦ用の接眼部に表示されるライブビュー表示とこれに重畳されるトーンカーブの調整用データとを示す図。
【図１０】同装置におけるタッチパネル付ＬＣＤに表示されるトーンカーブの調整用の操作画面を示す図。
【図１１】同装置における画質調整フローチャート。
【図１２】本発明に係るリトラクタブルのタッチパネル付ＬＣＤを備えた撮像装置の第２の実施の形態を示す外観図。
【図１３】同装置を示す構成図。
【図１４】同装置における表示制御フローチャート。
【発明を実施するための形態】
【００１２】
［第１の実施の形態］
以下、本発明の第１の実施の形態について図面を参照して説明する。  
図１Ａ及び図１Ｂは撮像装置の構成図を示し、図１Ａは同装置の機能ブロック図、図１Ｂは同装置背面のＥＶＦ用接眼部及びタッチパネル付ＬＣＤへの表示例を示す。  
この撮像装置は、カメラ本体１０と、交換レンズ部２０と、第１の表示部として接眼式の電子ビューファインダ（ＥＶＦ）用の接眼部３０とを有する。この撮像装置は、交換レンズ方式の構成を有するもので、交換レンズ部２０は、カメラ本体１０に対して交換可能であり、ＥＶＦ用接眼部３０もカメラ本体１０に対して交換可能な構成としてもよい。この撮像装置は、交換レンズ方式に限らず、例えばコンパクトカメラや、撮像機能付きの携帯機器等に適用可能である。
【００１３】
交換レンズ部２０は、レンズＣＰＵを有するレンズ制御部２１を搭載する。このレンズ制御部２１には、操作部２３と、各駆動部２４ａ、２４ｂと、各位置検出部２５ａ、２５ｂと、レンズ系２６と、記録部２７と、通信部２８とが接続されている。  
操作部２３は、マニュアルでレンズ系２６に対するズーム操作や、被写体に対するピント調整、被写体の明るさを調整する絞り２６ｃの操作等を行うための操作部材としてレンズリング等を備える。  
各駆動部２４ａ、２４ｂは、それぞれモータを備える。このうち駆動部２４ａは、レンズ系２６におけるズームレンズを駆動する。駆動部２４ｂは、レンズ系２６におけるピント調整用レンズを駆動する。位置検出部２５ａは、ズームレンズの光軸方向における位置を検出する。位置検出部２５ｂは、ピント調整用レンズの光軸方向における位置を検出する。
【００１４】
レンズ系２６は、ズームレンズやピント調整用レンズ、絞り２６ｃを有すると共に、ズーム部２６ａと、ピント部２６ｂとを有する。ズーム部２６ａは、駆動部２４ａの駆動を受けてズームレンズを駆動する。ピント部２６ｂは、駆動部２４ｂの駆動を受けてピント調整用レンズを駆動する。
【００１５】
記録部２７は、本撮像装置を動作制御するための制御パラメータ及び制御プログラムを予め記憶する。  
レンズ制御部２１は、記録部２７に記憶されている制御パラメータ及びレンズ制御プログラムを実行することにより、レンズ系２６におけるズームレンズやピント調整用レンズ、絞り２６ｃ等を駆動する各駆動部２４ａ、２４ｂを駆動制御する。  
レンズ制御部２１は、位置検出部２５ａにより検出されたズームレンズの位置情報に基づいて駆動部２４ａを駆動し、所望倍率のズーム像が得られるようにレンズ系２６におけるズームレンズの位置を制御する。このレンズ制御部２１は、位置検出部２５ｂにより検出されたピント調整用レンズの位置情報に基づいて駆動部２４ｂを駆動し、被写体に対してピントが合うようにピント調整用レンズの位置を制御する。
【００１６】
レンズ制御部２１は、通信部２８とカメラ本体１０の通信部１４とを通して当該カメラ本体１０の信号処理・制御部１との間でデータ通信を行う。  
一方、カメラ本体１０は、コンピュータから成る信号処理・制御部（カメラ制御部）１を搭載する。この信号処理・制御部１には、撮像素子２と、接眼センサ３と、記録部４と、操作判定部６と、第２の表示部として表示部（背面モニタ）８と、タッチパネル８ａと、操作部９と、各通信部１２、１４とが接続されている。  
撮像素子２は、交換レンズ部２０のレンズ系２６を介して入射する被写体像を受光し、この被写体像に応じた画像信号を出力する。すなわち、撮像素子２は、受光面を有し、この受光面にレンズ系２６を介して集光された被写体からの光束が結像される。この撮像素子２の受光面は、複数の画素を２次元状に配置して成る。この撮像素子２の受光面の光入射側には、カラーフィルタが設けられている。この撮像素子２は、受光面に結像された光束に対応した被写体像をその光量に応じた電気信号に変換する。この撮像素子２は、例えばＣＣＤ方式又はＣＭＯＳ方式等の種々の構成のものが知られている。カラーフィルタの色配列は、例えばベイヤ配列等の種々の配列が知られている。この撮像素子２は、その構成が特定の構成に限定されるものではなく、種々の構成の撮像素子を用いることが可能である。ここで、撮像素子２は、露出時間を電子的に制御する電子シャッタ機能を有している。カメラ本体１０に機械式のシャッタを持たせれば、この機械式のシャッタを用いて撮像素子２の露出時間を制御することもできる。
【００１７】
なお、レンズ系２６及び撮像素子２は、被写体を撮像して静止画又は動画を取得する撮像部を構成すると共に、被写体の静止画を取得する前に被写体の動画を取得する画像取得部を構成する。
【００１８】
接眼センサ３は、図１Ｂに示すように本装置の背面に設けられ、ＥＶＦ用の接眼部３０に対してユーザがファインダを覗いているか否かを判定する。この接眼センサ３は、ＥＶＦ用の接眼部３０に対してユーザの眼部が接近していることを検出する。
【００１９】
記録部４は、例えば、FlashＲＯＭ、ＲＡＭ、又は例えばメモリカードを有する。Flash ＲＯＭには、書き換え可能な不揮発性メモリで、例えば撮像、再生、操作、表示などのカメラ動作全般を司るプログラムが予め格納されている。なお、Flash ＲＯＭには、ユーザ設定内容も記憶されている。また、Flash ＲＯＭには、画像データが記憶され、このFlash ＲＯＭから画像データを読み出して再生表示が行われるようにしてもよい。  
又、FlashＲＯＭには、被写体を撮像するための画質を調整するための画質調整プログラムを有する。この画質調整プログラムは、コンピュータから成る信号処理・制御部１に、撮像素子２及びレンズ系２６を含む撮像部により被写体を撮像し、撮像素子２から出力される画像信号を画像処理して生成されるライブビュー画像を、ＥＶＦ用の接眼部３０と液晶ディスプレイ（以下、ＬＣＤと称する）を有する直視型の表示部８（以下、表示部８を背面ＬＣＤ８と称する）とにそれぞれ表示させ、かつ撮像に係る画質調整用の表示をそれぞれライブビュー表示に重畳して表示させ、かつ画質調整用の表示態様をＥＶＦ用の接眼部３０と背面ＬＣＤ８とに対してそれぞれ調整させる。  
すなわち、ＥＶＦ用の接眼部３０と背面ＬＣＤ８とでは、同じ画像を表示しても見えはまったく異なる。ＥＶＦ用の接眼部３０は、ユーザの覗き込み状態で使用されるので周辺光の影響を受けにくい。また、ユーザは、ＥＶＦ用の接眼部３０を覗きこむことでライブビュー画像に意識を集中させることができる。従って、ＥＶＦ用の接眼部３０での表示と背面ＬＣＤ８での表示とでは、それぞれに適した態様で操作画面を表示することで、操作性が向上する。これにより、ライブビュー重畳表示は、ＥＶＦ用の接眼部３０と背面ＬＣＤ８とでそれぞれで表示態様を変更できるようになっている。表示態様は、例えば明るさであり、描画線の太さや色であり、透過度等である。  
又、FlashＲＯＭには、後述する被写体を撮像するときの画質調整用のデータが記憶されている。
【００２０】
又、記録部４のＲＡＭは、揮発メモリであり、画像データの一時的格納や、画像処理のワーク領域として用いられる。記録部４のメモリカードには、撮影後の画像データ（ＪＰＥＧ等）や動画データが記録される。また、メモリカードには、画像データが記憶され、このメモリカードから画像データを読み出して再生表示が行われる。  
さらに、記録部４のＲＡＭは、Flash ROMなどから読み込んだデータを展開するために使用される。  
上記画質調整用のデータは、例えば、画像データの明るさを調整するためのトーンカーブの調整用データ、ホワイトバランスを調整するための調整用データ、露出を調整するための調整用データ、色調整を行うための調整用データ等である。この画質調整用のデータは、例えば２次元のグラフにより表されている。
【００２１】
図２はトーンカーブの調整用データＴの模式図を示す。このトーンカーブ調整用データＴは、明るさ（階調）の入力に対する明るさ（階調）の出力の関係を示す。このトーンカーブ調整用データＴは、複数の調整用データＴ１、Ｔ２、…、Ｔｎを有する。これら調整用データＴ１、Ｔ２、…、Ｔｎは、それぞれ明るさの入出力関係（ガンマ値）が異なり、直線（γ＝１）の調整用データＴ１に対してガンマ値の大きい又は小さい調整用データになっている。これら調整用データＴ２、…、Ｔｎは、調整用データＴ１に対して所定の明るさだけ明るく又は暗くなるように設定されている。画像データの明るさを調整するときには、複数の調整用データＴ１、Ｔ２、…、Ｔｎのうちいずれか１つの調整用データが選択される。
【００２２】
トーンカーブの調整用データＴの変更による画像データの画質の違いを図３（ａ）（ｂ）及び図４（ａ）（ｂ）に示す。図３（ａ）（ｂ）は画像データにおける暗い領域を一層暗くした例を示すもので、同図（ａ）は暗い領域Ｄを一層暗く調整するためのトーンカーブ調整用データＴを示し、同図（ｂ）は同トーンカーブにより暗い領域を一層暗く調整した画像データＳｄを示す。  
図４（ａ）（ｂ）は画像データにおける明るい領域を一層明るくした例を示すもので、同図（ａ）は明るい領域Ｌを一層明るく調整するためのトーンカーブ調整用データＴを示し、同図（ｂ）は同トーンカーブにより明るい領域を一層明るく調整した画像データＳｌを示す。  
図１Ｂに示すように、トーンカーブ調整用表示はライブビュー画像に重畳して表示される。ユーザは、操作部９における調整ダイヤルや十字キー、タッチパネル等を操作することで、ライブビュー画像とトーンカーブとの双方を視線を変えることなく確認しながら調整用データＴを変更することができる。  
このとき、調整用表示がライブビュー画像の見えを阻害しないように配慮されている。具体的には、調整用表示の明るさ、線の太さ、色、透過度等を最適に調整して表示する。但し、ＥＶＦ用の接眼部３０と背面ＬＣＤ８とでは最適な表示態様は同じものではない。
すなわち、環境に左右されず撮影に没頭しやすいＥＶＦ用の接眼部３０での撮影時には、背面ＬＣＤ８での撮影時よりも、ライブビュー画像の表示を優先させるために、重畳される調整用表示を目立たない方向に調整する。例えば、描画線は彩度の低いグレーで細く描き、かつライブビューを隠してしまう面表示については、透過度を上げる等の調整である。
ここで、ライブビューの画像を解析し、被写体の色と同色系の線で描画したり、被写体の明るさに応じて透過度や明るさを調整するのも有効である。  
背面ＬＣＤ８での撮影の場合は、ＥＶＦ用の接眼部３０とは逆に周辺環境の影響度があがるので、調整用表示の視認性を上げる方向で調整する。例えば、透過度を低くしたり、描画線を太くかつ高彩度色で描画する。
【００２３】
図５（ａ）〜（ｄ）はトーンカーブ調整用データＴにより調整したときの画像データの輝度レベル変化を示す。同図（ａ）は調整前の画像データＳｏの輝度レベル変化を示す。
同図（ｂ）は調整前の画像データに対して図３（ａ）（ｂ）に示すようにトーンカーブ調整用データＴによって暗い領域Ｄを一層暗く調整した画像データＳｄの輝度レベル変化を示す。暗い領域Ｄに対応する画像データＳｄの輝度レベルがさらに低くなっている。
同図（ｃ）は調整前の画像データに対して図４（ａ）（ｂ）に示すようにトーンカーブ調整用データＴによって明るい領域Ｄを一層明るく調整した画像データＳｌの輝度レベル変化を示す。明るい領域Ｌに対応する画像データＳｄの輝度レベルがさらに高くなっている。
同図（ｄ）は（ａ）〜（ｃ）の対比として露出補正の場合の各輝度レベル変化を示す。露出補正の場合、輝度レベルが一律に変化する。
【００２４】
図６はホワイトバランスを調整するための調整用データＷの模式図を示す。このホワイトバランスでは、アンバー（Ａ）、ブルー（Ｂ）、グリーン（Ｇ）、マゼンタ（Ｍ）の色の混合率を調整する。例えば、ＡＢＧＭ色の中心位置では、ＡＢＧＭ色のそれぞれが均等の混合率で混合される。
【００２５】
図７は露出を調整するための調整用データＥの模式図を示す。この露出の調整では、絞りＡＶとシャッタースピードＳＳとの関係を調整する。例えば、絞り２６ｃを変更することで、背景のぼかし量をコントロールしたり、シャッタースピードを変更することで、動きのある被写体の静動表現を変えることができる。また、露出のオーバー、アンダーもライブビューを見ながら自在に調節することができる。  
なお、画質調整用のデータは、トーンカーブの調整用データ、ホワイトバランスの調整用データ、露出の調整用データ、色調整の調整用データに限ることがない。
【００２６】
操作判定部６は、ユーザによって手動操作される各種の操作部９の操作状態を判定する。この操作部９は、例えば、レリーズボタン、動画釦、モードダイヤル、選択キー、電源釦等を備える。レリーズボタンは、１ｓｔレリーズスイッチと、２ｎｄレリーズスイッチとを有する。１ｓｔレリーズスイッチは、ユーザがレリーズ釦を半押しするとオンする。１ｓｔレリーズスイッチがオンすることにより、信号処理・制御部１は、ＡＦ処理等の撮影準備動作を行う。２ｎｄレリーズスイッチは、ユーザがレリーズ釦を全押しするとオンする。２ｎｄレリーズスイッチがオンすることにより、信号処理・制御部１は、静止画撮影用の露光動作を行う。
【００２７】
動画釦は、動画撮影の開始又は終了を指示するための操作部材である。ユーザによって動画釦が押されると動画撮影処理が開始される。また、動画撮影処理の実行中に動画釦が押されると、動画撮影処理が終了される。  
モードダイヤルは、撮像装置の撮影設定を選択するための操作部材である。本実施形態では、撮像装置の撮影設定として、例えば、静止画撮影モードと動画撮影モードを選択できる。静止画撮影モードは、静止画像を撮影するための撮影設定である。また、動画撮影モードは、動画像を撮影するための撮影設定である。  
選択キーは、例えばメニュー画面上での項目の選択や決定をするための操作部材である。ユーザによって選択キーが操作されるとメニュー画面上での項目の選択や決定が行われる。
電源釦は、撮像装置の電源をオン又はオフするための操作部材である。ユーザによって電源釦が操作されると、本装置が起動して動作可能な状態となる。本装置が起動している間に電源釦が操作されると、本装置が省電力待機状態となる。
【００２８】
背面ＬＣＤ８は、本装置の背面に設けられ、例えばそのＬＣＤ駆動部を有する。この背面ＬＣＤ８は、ライブビュー表示用の画像及び記録部４に記録された静止画や動画を表示する。この背面ＬＣＤ８の表示画面上には、タッチパネル８ａが一体的に設けられている。いわゆる背面ＬＣＤ８は、タッチパネル付背面ＬＣＤ８である。  
このタッチパネル８ａは、ユーザの指等の接触（タッチ）を検出し、このタッチ位置を示す座標を含む接触信号を出力する。信号処理・制御部１は、タッチパネル８ａを駆動すると共に、タッチパネル８ａからの接触信号を入力し、この接触信号からユーザのタッチパネル付背面ＬＣＤ８に対するタッチを検出し、そのタッチに応じた処理を実行する。  
タッチパネル操作は、上述のトーンカーブ、ホワイトバランス、露出調整に代表される２次元入力装置として最適で、特に、タッチパネル付背面ＬＣＤ８での撮影時に有効である。タッチパネル付背面ＬＣＤ８での撮影時は、タッチパネル８ａによる入力操作性を向上させるために、調整用画面がはっきりと表示されている方がよい。  
一方、ＥＶＦ用の接眼部３０での撮影の場合には、ユーザが背面ＬＣＤ８の表示を見ることが困難であり、このためタッチパネル８ａの操作性は良好ではないので、ＥＶＦ用の接眼部３０を覗きながら操作部９（ダイヤルや十字キーなど）の操作で２次元入力を行えるようにする。
【００２９】
通信部１２は、ＥＶＦ用接眼部３０の通信部３２との間でデータ通信を行う。  
通信部１４は、上記の通り、交換レンズ部２０の通信部２８との間でデータ通信を行う。
信号処理・制御部１は、静止又は動画の撮像時に、撮像素子２から出力される画像信号を入力し、この画像信号に対して画像処理を行い、静止画又は動画の画像データを取得する。この信号処理・制御部１は、静止画又は動画を撮像する際に、コントラストＡＦ処理や、ＡＥ処理を行う。  
コントラストＡＦ処理は、撮像素子２の撮像により得られた画像データの高周波成分を抽出し、この抽出した高周波成分を積算することによりＡＦ用の合焦評価値を取得し、この合焦評価値に従って画像データのコントラストを評価しながら交換レンズ部２０のレンズ系２６のピント調整用レンズを合焦状態となる位置に調整する。  
ＡＥ処理は、撮像素子２の撮像により得られた画像データを用いて被写体の輝度を算出し、この被写体の輝度に従って露光時の絞り２６ｃの開口量（絞り値）、撮像素子２の露出時間（電子シャッタスピード）又は機械式シャッタのシャッタスピードを算出する。
【００３０】
信号処理・制御部１は、撮像素子２の撮像により得られた画像データに対する各種の画像処理、例えば色補正処理、ガンマ（γ）補正処理、圧縮処理、この圧縮されている画像データに対する伸張処理などを行う。  
この信号処理・制御部１は、通常の撮影モード、再生モード、画質調節モードなどを選択可能とし、画像調節表示制御モードが選択されると、記録部４のFlashＲＯＭに記憶されている画質調整プログラムを実行することにより、撮像素子２及びレンズ系２６を含む撮像部により被写体を撮像し、撮像素子２から出力される画像信号を画像処理して生成されたライブビュー表示をＥＶＦ用の接眼部３０とタッチパネル付背面ＬＣＤ８とにそれぞれ表示し、かつ画質調整用の表示態様をＥＶＦ用の接眼部３０と背面ＬＣＤ８とに対してそれぞれ調整可能とする。この信号処理・制御部１は、画質調整部１０１と、タッチ検出部１０２と、表示制御部１０３とを有する。
【００３１】
画質調整部１０１は、ライブビュー表示しているＥＶＦ用の接眼部３０とタッチパネル付背面ＬＣＤ８とにそれぞれ撮像に係る画質調整用の情報、ここでは画質調整用表示として例えば図２に示すようなトーンカーブの調整用データＴ、図６に示すようなホワイトバランスを調整するための調整用データＷ、図７に示すような露出を調整するための調整用データＥ等をそれぞれ重畳して表示し、かつ画質調整用の表示態様、例えば画質調整用表示の明るさをＥＶＦ用の接眼部３０とタッチパネル付背面ＬＣＤ８とに対してそれぞれ調整可能とする。なお、表示態様は、上記の通り明るさに限らず、例えば描画線の太さや色、透過度等でもよい。  
画質調整部１０１は、ＥＶＦ用の接眼部３０に画質調整用表示を表示するときの表示態様をライブビュー表示に比較して目立たなく設定し、タッチパネル付背面ＬＣＤ８に画質調整用表示を表示するときの表示態様をライブビュー表示に比較して目立つように設定する。  
言い換えれば、画質調整部１０１は、撮像時にＥＶＦ用の接眼部３０に画質調整用表示を表示するときの視認度をライブビュー表示に比較して小さく設定し、画質調整時にタッチパネル付背面ＬＣＤ８に画質調整用表示を表示するときの視認度をライブビュー表示に比較して大きく設定する。
【００３２】
ここで、表示形態の視認度の設定の例として明るさの設定について説明すると、画質調整部１０１は、図１Ｂに示すように、撮像時に、ＥＶＦ用の接眼部３０に画質調整用表示を表示するときの明るさをライブビュー表示よりも小さく設定し、画質調整時に、タッチパネル付背面ＬＣＤ８に画質調整用表示を表示するときの明るさをライブビュー表示よりも設定する。  
具体的に、画質調整部１０１は、接眼センサ３の検出によりユーザの眼部がＥＶＦ用の接眼部３０を覗いていることを検出すると、撮像時に、ＥＶＦ用の接眼部３０に表示する画質調整用表示の明るさを小さく設定する。画質調整用表示の明るさは、例えば通常のライブビュー表示の明るさよりも予め設定された値だけ小さく設定されている。この画質調整用表示の明るさは、それぞれ異なる各段毎に明るさが暗くなる複数段の明るさが予め用意され、これら各段の明るさからユーザが選択して設定してもよい。
【００３３】
画質調整部１０１は、接眼センサ３の検出によりユーザの眼部がＥＶＦ用の接眼部３０を覗いていなければ、画質調整時に、タッチパネル付背面ＬＣＤ８に表示する画質調整用表示の明るさを大きく設定する。この画質調整用表示の明るさは、例えば通常のライブビュー表示の明るさよりも予め設定された値だけ大きく設定されている。この画質調整用表示の明るさは、それぞれ異なる各段毎に明るさが明るくなる複数段の明るさが予め用意され、これら各段の明るさからユーザが選択して設定してもよい。  
画質調整部１０１は、画質調整時に、画質調整用表示の明るさをライブビュー表示の明るさよりも大きくすることにより、画質調整用表示をライブビュー表示よりも鮮明で、認識性高く表示できるものとなるが、さらにタッチパネル付背面ＬＣＤ８に表示する画質調整表示の明るさを大きく設定すると共に、ライブビュー表示を消すように設定してもよい。
なお、表示態様が描画線の太さであれば、画質調整部１０１は、撮像時に、ＥＶＦ用の接眼部３０に画質調整用表示を表示するときの描画線の太さを細く設定し、画質調整時に、タッチパネル付背面ＬＣＤ８に画質調整用表示を表示するときの描画線の太さを太く設定する。  
表示態様が描画線の色であれば、画質調整部１０１は、撮像時に、ＥＶＦ用の接眼部３０に画質調整用表示を表示するときの描画線の色を低彩度色（例えばグレー）に設定し、画質調整時に、タッチパネル付背面ＬＣＤ８に画質調整用表示を表示するときの描画線の色を高彩度色に設定する。  
表示態様が描画線の透過度であれば、画質調整部１０１は、撮像時に、ＥＶＦ用の接眼部３０に画質調整用表示を表示するときの透過度を高く設定し、画質調整時に、タッチパネル付背面ＬＣＤ８に画質調整用の操作画面を表示するときの透過度を低く設定する。
【００３４】
タッチ検出部１０２は、タッチパネル８ａに対するユーザの指等のタッチを検出する。
画質調整部１０１は、タッチ検出部１０２から出力されるタッチ検出信号を受けて画質調整用表示に対する操作に応じた画質調整を行う。例えば、画質調整部１０１は、トーンカーブの調整を行う場合、タッチパネル８ａに対するタッチを検出する毎に、ＥＶＦ用の接眼部３０及びタッチパネル付背面ＬＣＤ８に表示するトーンカーブ調整用データＴを、例えば調整用データＴ１、Ｔ２、…、Ｔｎの順序に切り替える。この画質調整部１０１は、切り替えられた各調整用データＴ１、Ｔ２、…、Ｔｎに従ってライブビュー表示される画像の明るさを調整する。
【００３５】
表示制御部１０６は、例えば、通常の撮影モード時に、信号処理・制御部１によって各種の画像処理された画像データや、画質調整部１０１により画質調整された画像データをタッチパネル付背面ＬＣＤ８に再生する。又、表示制御部１０６は、例えば記録部４に記憶されている画質調整された画像データをタッチパネル付背面ＬＣＤ８に再生する。
【００３６】
次に、上記の如く構成された装置の動作について図８に示す表示制御フローチャートに従って説明する。  
信号処理・制御部１は、ステップＳ１０１において、本装置の電源が投入（ＯＮ）されたか否かを判定する。この判定の結果、電源が投入されていなければ、信号処理・制御部１は、スタンバイ状態になる。  
電源が投入されると、信号処理・制御部１は、ステップＳ１０２において、撮影モードに設定されたか否かを判定する。この判定の結果、撮影モードに設定されていると、信号処理・制御部１は、ステップＳ１０３において、各通信部１４、２８を介して交換レンズ部２０のレンズ制御部２１との間でデータ通信を開始し、ステップＳ１０４において、コントラストＡＦ処理、ＡＥ処理の制御を行う。コントラストＡＦ処理では、撮像素子２の撮像により得られた画像データの高周波成分を抽出し、この抽出した高周波成分を積算してＡＦ用の合焦評価値を取得し、この合焦評価値に従って画像データのコントラストを評価しながら交換レンズ部２０のレンズ系２６のピント調整用レンズを合焦状態となる位置に調整する。ＡＥ処理では、撮像素子２の撮像により得られた画像データを用いて被写体の輝度を算出し、この被写体の輝度に従って露光時の絞り２６ｃの開口量（絞り値）、電子シャッタースピードを算出する。
【００３７】
信号処理・制御部１は、ステップＳ１１１において、接眼センサ３から出力される検出信号を入力し、接眼センサ３によりユーザがＥＶＦ用の接眼部３０を覗いているか否かを判定する。ここで、ユーザがＥＶＦ用の接眼部３０を覗いているのは、ユーザがＥＶＦ用の接眼部３０内の被写体像やその構図がベストになるように撮像装置本体の姿勢を変えたりしてＥＶＦ用の接眼部３０内の被写体に意識を集中し、被写体の撮像を行っているときである。
【００３８】
この判定の結果、ユーザがＥＶＦ用の接眼部３０を覗いていると、信号処理・制御部１は、ステップＳ１１２において、レンズ系２６を通して撮像素子２により被写体を撮像し、この撮像素子２から出力される画像信号を画像処理し、ライブビュー表示をＥＶＦ用の接眼部３０に行う。
【００３９】
信号処理・制御部１は、ステップＳ１１３において、例えばトーンカーブの調整等の画質調整を行うか否かを判定する。この画質調整を行うか否かの判定は、例えば、操作９に備えられている釦をユーザが操作することにより選択するか、又は画質調整を行うか否かを選択するための選択表示をタッチパネル付背面ＬＣＤ８に表示し、このタッチパネル付背面ＬＣＤ８に対するユーザの指のタッチにより選択してもよい。
【００４０】
この判定の結果、画質調整を行うのであれば、画質調整部１０１は、ステップＳ１１４において、ＥＶＦ用の接眼部３０に画質調整用表示、例えば図２に示すようなトーンカーブの調整用データＴ、図６に示すようなホワイトバランスを調整するための調整用データＷ、又は図７に示すような露出を調整するための調整用データＥ等をライブビュー表示に重畳して表示する。  
図９はＥＶＦ用の接眼部３０に表示されるライブビューの被写体像Ｋと、このライブビュー表示に重畳されるトーンカーブの調整用データＴとを示す。このトーンカーブの調整用データＴは、図２に示すように複数の調整用データＴ１、Ｔ２、…、Ｔｎを有するので、これら調整用データＴ１、Ｔ２、…、Ｔｎのうちいずれか１つの調整用データが選択されることにより、この選択された調整用データＴ１、Ｔ２、…、又はＴｎによって被写体像Ｋを含むライブビュー表示の明るさが調整される。この調整用データＴ１、Ｔ２、…、Ｔｎの選択は、例えば操作部９に備えられている釦をユーザが操作することにより行われる。
【００４１】
画質調整部１０１は、ステップＳ１１５において、トーンカーブ等の画質調整を終了するか否かを判定する。この画質調整の終了は、例えば、操作部９備えられている終了の釦に対するユーザの操作を検出することにより判定される。  
この判定の結果、終了の釦をユーザが操作しなければ、画質調整部１０１は、ステップＳ１３１を通してステップＳ１０１に戻り、画質調整を続ける。終了の釦をユーザが操作すると、信号処理・制御部１は、ステップＳ１１６において、ＥＶＦ用の接眼部３０に表示している画質調整用表示、例えば図２に示すようなトーンカーブの調整用データＴ、図６に示すようなホワイトバランスを調整するための調整用データＷ、又は図７に示すような露出を調整するための調整用データＥ等の表示を終了する。
【００４２】
信号処理・制御部１は、ステップＳ１３１において、静止画の撮像動作を行うのか否かを判定する。この静止画の撮像は、操作部９におけるレリーズボタンの１ｓｔレリーズスイッチが半押しされ、続いて２ｎｄレリーズスイッチが全押しされたか否かを判定する。この判定の結果、１ｓｔレリーズスイッチが半押されると、信号処理・制御部１は、ＡＦ処理等の撮影準備動作を行い、続いて２ｎｄレリーズスイッチが全押されると、静止画撮影用のＡＥ動作を行い、撮像素子２を介して得られた静止画の画像データを画像処理する。
信号処理・制御部１は、ステップＳ１３２において、撮像素子２を介して得られた静止画の画像データを画像処理するときに、画質調整用表示において選択された例えばトーンカーブの調整用データＴに基いて静止画の画像データの画質を調整する。  
信号処理・制御部１は、ステップＳ１３３において、画質調整された静止画の画像データにヘッダを付与して静止画像ファイルを生成し、この静止画像ファイルを記録部４に記憶する。
【００４３】
一方、ＥＶＦ用の接眼部３０に対してユーザが覗いているか否かの判定の結果（ステップＳ１１１）、ユーザがＥＶＦ用の接眼部３０を覗いていなければ、信号処理・制御部１は、ステップＳ１２１において、レンズ系２６を通して撮像素子２により被写体を撮像し、この撮像素子２から出力される画像信号を画像処理し、そのライブビュー表示をタッチパネル付背面ＬＣＤ８に行う。  
ここで、ユーザがＥＶＦ用の接眼部３０に接近せずに覗いていないのは、ユーザがタッチパネル付背面ＬＣＤ８に表示されている被写体像を含むライブビュー表示を観察し、被写体の撮像を行おうとするときである。
【００４４】
信号処理・制御部１は、ステップＳ１２２において、例えばトーンカーブの調整等の画質調整を行うか否かを判定する。この画質調整を行うか否かの判定は、例えば、上記同様に、操作部９に備えられている釦をユーザが操作することにより選択するか、又は画質調整を行うか否かを選択するための選択表示をタッチパネル付背面ＬＣＤ８に表示し、このタッチパネル付背面ＬＣＤ８に対するユーザの指のタッチにより選択してもよい。
【００４５】
この判定の結果、画質調整を行うのであれば、信号処理・制御部１は、ステップＳ１２３において、タッチパネル付背面ＬＣＤ８に画質調整用表示、例えば図２に示すようなトーンカーブの調整用データＴ、図６に示すようなホワイトバランスを調整するための調整用データＷ、又は図７に示すような露出を調整するための調整用データＥ等をライブビュー表示に重畳して表示する。  
この場合、画質調整部１０１は、タッチパネル付背面ＬＣＤ８に表示する画質調整用表示の例えば明るさを予め設定された値だけ大きく設定する。この画質調整用の操作画面の明るさは、それぞれ異なる各段毎に明るさが明るくなる複数段の明るさが予め用意され、これら各段の明るさからユーザが選択して設定してもよい。画質調整用表示の明るさをライブビュー表示の明るさよりも大きくすることにより、画質調整用表示は、ライブビュー表示よりも鮮明で、認識性高く表示できるものとなる。さらにはライブビュー表示を消すようにしてもよい。  
図１０はタッチパネル付背面ＬＣＤ８に表示される画質調整用表示として例えばトーンカーブの調整用データＴを示す。この画質調整用表示は、被写体像のライブビュー表示を消している状態を示す。ライブビュー表示を消している状態では、例えばトーンカーブの調整用データＴ等の画質調整用表示が鮮明で、認識性高く表示される。
【００４６】
トーンカーブの調整用データＴの選択では、画質調整部１０１は、タッチパネル８ａに対するユーザの指等のタッチを検出する毎に、タッチパネル付背面ＬＣＤ８に表示するトーンカーブ調整用データＴを、例えば図２に示すように調整用データＴ１、Ｔ２、…、Ｔｎの順序に切り替える。この画質調整部１０１は、切り替えられた各調整用データＴ１、Ｔ２、…、Ｔｎに従ってライブビュー表示する画像の明るさをそれぞれ調整する。
【００４７】
信号処理・制御部１は、ステップＳ１２４において、トーンカーブ等の画質調整を終了するか否かを判定する。この画質調整の終了は、例えば、操作部９に備えられている終了の釦に対するユーザの操作を検出することにより判定される。  
この判定の結果、終了の釦をユーザが操作しなければ、画質調整部１０１は、上記同様に、ステップＳ１３１を通してステップＳ１０１に戻り、画質調整を続ける。終了の釦をユーザが操作すると、信号処理・制御部１は、ステップＳ１２５において、タッチパネル付背面ＬＣＤ８に表示している画質調整用表示、例えば図２に示すようなトーンカーブの調整用データＴ、図６に示すようなホワイトバランスを調整するための調整用データＷ、又は図７に示すような露出を調整するための調整用データＥ等の表示を終了する。  
これと共に信号処理・制御部１は、レンズ系２６を通して撮像素子２により被写体を撮像し、この撮像素子２から出力される画像信号を画像処理してそのライブビュー表示をタッチパネル付背面ＬＣＤ８に行う。
【００４８】
これ以降、上記同様に、信号処理・制御部１は、ステップＳ１３１において、静止画の撮像動作を行うのか否かを判定し、静止画の撮像を行うのであれば、ＡＦ処理等の撮影準備動作を行い、続いてＡＥ動作を行い、撮像素子２を介して得られた静止画の画像データを画像処理する。  
信号処理・制御部１は、ステップＳ１３２において、撮像素子２を介して得られた静止画の画像データを画像処理するときに、画質調整用表示において選択された例えばトーンカーブの調整用データＴを基づいて静止画の画像データの画質を調整し、ステップＳ１３３において、画質調整された静止画の画像データを静止画像ファイルとして記録部４に記憶する。
【００４９】
一方、撮像モードに設定されていなければ、信号処理・制御部１は、ステップＳ１０２からステップＳ１０３に移り、再生モードに設定されているか否かを判定する。この判定の結果、再生モードに設定されていると、信号処理・制御部１は、ステップＳ１４２において、記録部４のＲＯＭに記憶されている再生プログラムを実行し、当該ＲＯＭに記憶されている静止画又は動画のデータを読み出し、当該静止画又は動画のデータを表示制御部１０３を介してタッチパネル付背面ＬＣＤ８に表示する。
【００５０】
信号処理・制御部１は、ステップＳ１４３において、タッチパネル付背面ＬＣＤ８に表示する静止画又は動画のデータを変更するか否かを判定し、別の静止画又は動画のデータに変更するのであれば、ステップＳ１４４において、例えばFlashＲＯＭに記憶されている別の静止画又は動画のデータを読み出し、当該静止画又は動画のデータを表示制御部１０３を介してタッチパネル付背面ＬＣＤ８に表示する。  
再生モードに設定されていなければ、信号処理・制御部１は、ステップＳ１４１からステップＳ１４５に移り、外部機器の間でデータ通信を行い、例えばFlashＲＯＭに記憶されている静止画又は動画のデータを外部機器に送る。
【００５１】
次に、画質調整の動作（ステップＳ１１４、Ｓ１２３）について図１１に示す画質調整フローチャートに従って説明する。  
画質調整部１０１は、ステップＳ２０１において、トーンカーブの調整を行うか否かを判定する。この判定では、画質調整部１０１は、画質調整の項目選択用の画面をタッチパネル付背面ＬＣＤ８に表示し、当該画面上からトーンカーブの調整、ホワイトバランスの調整、又は露出の調整を選択するようにすればよい。  
この判定の結果、トーンカーブの調整であれば、画質調整部１０１は、ステップＳ２０２において、記録部４に記憶されている図２に示すトーンカーブ調整用データＴのうち例えば調整用データＴ１を読み出し、この調整用データＴ１をライブビュー表示に重畳させてＥＶＦ用の接眼部３０及びタッチパネル付背面ＬＣＤ８に表示する。
【００５２】
ユーザは、被写体を撮像するときの明るさを調整するために、すなわちライブビュー表示の明るさを調整するためにタッチパネル付背面ＬＣＤ８のタッチパネル８ａに対してタッチを行い、このタッチ毎に各調整用データＴ１、Ｔ２、…、Ｔｎを切り替える。  
画質調整部１０１は、ステップＳ２０３において、切り替えられた調整用データＴ１、Ｔ２、…、又はＴｎが画像データ中の暗い部分を暗く調整するか否か、すなわち画像データ中の黒部分を強調するか否かを判定する。  
この判定の結果、調整用データＴ１、Ｔ２、…、又はＴｎが切り替わる毎に画像データ中の暗い部分を暗く調整するものであれば、画質調整部１０１は、ステップＳ２０４において、例えば図３（ａ）（ｂ）に示すように画像データの暗い部分を所定の明るさだけ暗くしてライブビュー表示に重畳させてＥＶＦ用の接眼部３０及びタッチパネル付背面ＬＣＤ８に表示する。
【００５３】
一方、調整用データＴｎ、…、Ｔ２、又はＴ１が切り替わる毎に画像データ中の明るい部分を明るく調整するものであれば、画質調整部１０１は、ステップＳ２０５からステップＳ２０６に移り、例えば図４（ａ）（ｂ）に示すように画像データの明るい部分を所定の明るさだけ明るくしてライブビュー表示に重畳させてＥＶＦ用の接眼部３０及びタッチパネル付背面ＬＣＤ８に表示する。  
なお、トーンカーブ調整用データＴ（Ｔ１、Ｔ２、…、又はＴｎ）を選択してトーンカーブを調整したときの画像データの輝度レベル変化は、図５（ａ）〜（ｄ）に示す。
【００５４】
このようなトーンカーブの調整時、接眼センサ３の検出によりユーザの眼部がＥＶＦ用の接眼部３０に近付いている場合、画質調整部１０１は、撮像時に、ＥＶＦ用の接眼部３０に表示する画質調整用表示の明るさを予め設定された値だけ小さく設定する。なお、画質調整用表示の明るさは、それぞれ異なる各段毎に明るさからユーザが選択して設定してもよい。
【００５５】
又、画質調整部１０１は、接眼センサ３の検出によりユーザがＥＶＦ用の接眼部３０を覗いていなければ、タッチパネル付背面ＬＣＤ８に表示するトーンカーブ調整用表示の例えば明るさを大きく設定する。このトーンカーブの調整用表示の明るさは、例えば通常のライブビュー表示の明るさよりも予め設定された値だけ大きく設定されている。このトーンカーブの調整用表示の明るさは、それぞれ異なる各段毎に明るさが明るくなる複数段の明るさが予め用意され、これら各段の明るさからユーザが選択して設定してもよい。さらに、画質調整部１０１は、タッチパネル付背面ＬＣＤ８に表示するトーンカーブ調整用表示の明るさを大きく設定すると共に、ライブビュー表示を消すように設定してもよい。
【００５６】
画質調整がトーンカーブでなければ、画質調整部１０１は、ステップＳ２０１からステップＳ２１１に移り、ホワイトバランスの調整であるか否かを判定する。この判定の結果、ホワイトバランスの調整であれば、画質調整部１０１は、ステップＳ２１２において、図６に示すようなホワイトバランスを調整するための調整用データＷの表示をライブビュー表示に重畳してタッチパネル付背面ＬＣＤ８に表示する。
【００５７】
このホワイトバランスの調整時、接眼センサ３の検出によりユーザがＥＶＦ用の接眼部３０を覗いている場合、画質調整部１０１は、上記同様に、ＥＶＦ用の接眼部３０に表示するホワイトバランス調整用表示の明るさを予め設定された値だけ小さく設定する。  
又、画質調整部１０１は、接眼センサ３の検出によりユーザがＥＶＦ用の接眼部３０を覗いていなければ、ホワイトバランス調整時に、タッチパネル付背面ＬＣＤ８に表示するホワイトバランス調整用表示の明るさを大きく設定する。
【００５８】
ユーザは、被写体を撮像するときのホワイトバランスを調整するために、タッチパネル付背面ＬＣＤ８に表示されている図６に示すようなホワイトバランス調整用表示上に対してＡＢＧＭの色の所定の混合率になる部分をタッチする。タッチパネル８ａは、ユーザの指等のタッチ位置を示す座標を含む接触信号を出力するので、画質調整部１０１は、タッチパネル８ａからの接触信号に含む座標からホワイトバランス調整用表示上のタッチ位置を判定し、このタッチ位置からホワイトバランス調整におけるＡＢＧＭ色の混合率を判定する。
【００５９】
すなわち、画質調整部１０１は、ステップＳ２１３において、ホワイトバランス調整用表示上のタッチ位置に基づいてＡＢＧＭ色の混合率がＡ又はＢ色側であるか否かを判定し、Ａ又はＢ色側であれば、ステップＳ２１４において、Ａ又はＢ色系の調整としてＡＢＧＭ色の混合率を設定する。  
Ａ又はＢ色側でなければ、画質調整部１０１は、ステップＳ２１３からステップＳ２１５に移り、ホワイトバランス調整用表示上のタッチ位置に基づいてＡＢＧＭ色の混合率がＧ又はＭ色側であるか否かを判定し、Ｇ又はＭ色側であれば、ステップＳ２１６４において、Ｇ又はＭ色系の調整としてＡＢＧＭ色の混合率を設定する。
【００６０】
画質調整がホワイトバランスでなければ、画質調整部１０１は、ステップＳ２１１から他のステップに移り、露出又は色調整等であるか否かを判定する。この判定の結果、露出の調整であれば、画質調整部１０１は、図７に示すような露出調整用表示をライブビュー表示に重畳してタッチパネル付背面ＬＣＤ８に表示する。  
この露出調整時も、接眼センサ３の検出によりユーザがＥＶＦ用の接眼部３０を覗いている場合、画質調整部１０１は、上記同様に、ＥＶＦ用の接眼部３０に表示する露出調整用表示の明るさを予め設定された値だけ小さく設定する。  
又、画質調整部１０１は、接眼センサ３の検出によりユーザがＥＶＦ用の接眼部３０を覗いていなければ、露出調整時に、タッチパネル付背面ＬＣＤ８に表示する露出調整用表示の明るさを大きく設定する。
【００６１】
ユーザは、被写体を撮像するときの露出を調整するために、タッチパネル付背面ＬＣＤ８に表示されている図７に示すような露出調整用表示上に対して所望の絞りＡＶとシャッタースピードＳＳとの関係になる部分をタッチする。タッチパネル８ａは、ユーザの指等のタッチ位置を示す座標を含む接触信号を出力するので、画質調整部１０１は、タッチパネル８ａからの接触信号に含む座標から露出調整用表示上のタッチ位置を判定し、このタッチ位置から露出調整における絞りＡＶとシャッタースピードＳＳとを判定する。
【００６２】
このように上記第１の実施の形態によれば、ＥＶＦ用の接眼部３０とタッチパネル付背面ＬＣＤ８とにそれぞれ例えば図２に示すようなトーンカーブ等の画質調整用表示等をそれぞれライブビュー表示に重畳して表示し、かつ画質調整用の表示態様をＥＶＦ用の接眼部３０と背面ＬＣＤ８とに対してそれぞれ調整可能とする。  
具体的に、画質調整用表示の表示態様、例えば明るさや、描画線の太さや色、透過度等をそれぞれ調整可能、ここでは、例えば撮像時に、ＥＶＦ用の接眼部３０に画質調整用表示の明るさを小さく設定し、画質調整時に、タッチパネル付背面ＬＣＤ８に画質調整用表示の明るさを大きく設定するので、トーンカーブ等の画質調整用表示をライブビュー表示よりも鮮明で、認識性高く表示できる。さらにタッチパネル付背面ＬＣＤ８に表示する画質調整用表示の明るさを大きく設定すると共に、ライブビュー表示を消すことにより、トーンカーブ等の画質調整用表示をより鮮明で、認識性高く表示できる。
【００６３】
被写体を撮像するときにユーザは、ＥＶＦ用の接眼部３０内の被写体に意識を集中して被写体像やその構図を決めるので、ＥＶＦ用の接眼部３０内には、認識性の良い被写体像を表示することができ、かつ画質調整時には、タッチパネル付背面ＬＣＤ８にトーンカーブ等の画質調整用表示を鮮明で認識性高く表示してトーンカーブ等の画質調整を操作し易くできる。これにより、被写体の撮像や被写体を撮像するときの画質調整の操作性を向上することができる。
［第２の実施の形態］
次に、本発明の第２の実施の形態について図面を参照して説明する。  
図１２はリトラクタブルのタッチパネル付背面ＬＣＤ８を備えた撮像装置の構成図を示す。この装置におけるタッチパネル付背面ＬＣＤ８は、カメラ本体１０に対してリトラクタブルで、図１２はリトラクタブルのタッチパネル付背面ＬＣＤ８をカメラ本体１０から引き出した状態を示す。このタッチパネル付背面ＬＣＤ８を引き出した状態は、ユーザがタッチパネル付背面ＬＣＤ８に表示される被写体像の画像を観察したいである。
【００６４】
図１３は撮像装置の構成図を示す。なお、同図では図１と同一部分に同一符号を付してその詳しい説明は省略する。信号処理・制御部１は、引出判定部１０４を有する。この引出判定部１０４は、タッチパネル付背面ＬＣＤ８がカメラ本体１０から引き出されたか否かを判定する。  
画質調整部１０１は、タッチパネル付背面ＬＣＤ８とＥＶＦ用の接眼部３０とにそれぞれトーンカーブ等の画質調整用表示を表示し、かつ接眼センサ３の検出結果と引出判定部１０４の判定結果とに応じてタッチパネル付背面ＬＣＤ８に表示されるトーンカーブ等の画質調整用画質調整用表示の表示態様、例えば明るさや、描画線の太さや色、透過度等をそれぞれ調整とする。
【００６５】
タッチパネル付背面ＬＣＤ８がカメラ本体１０から引き出されることが引出判定部１０４により判定されると、画質調整部１０１は、タッチパネル付背面ＬＣＤ８にライブビューを優先表示する。  
接眼センサ３の検出によりユーザがＥＶＦ用の接眼部３０を覗いておらず、かつ引出判定部１０４の判定によりタッチパネル付背面ＬＣＤ８が引き出されていない場合、画質調整を行うと、画質調整部１０１は、タッチパネル付背面ＬＣＤ８にトーンカーブ等の画質調整用表示を表示すると共に、当該タッチパネル付背面ＬＣＤ８のライブビュー表示の例えば明るさを小さく設定する。この画質調整部１０１は、ライブビュー表示を消してもよい。
【００６６】
接眼センサ３の検出によりユーザがＥＶＦ用の接眼部３０を覗いておらず、かつ引出判定部１０４の判定によりタッチパネル付背面ＬＣＤ８が図１２に示すようにカメラ本体１０から引き出されている場合、画質調整を行うと、画質調整部１０１は、タッチパネル付背面ＬＣＤ８に表示されているライブビュー表示にトーンカーブ等の画質調整用表示を重畳する。
【００６７】
次に、上記の如く構成された装置の動作について図１４に示す表示制御フローチャートに従って説明する。なお、図８と同一ステップはその動作説明を省略する。  
ユーザがＥＶＦ用の接眼部３０を覗いているか否かの判定の結果（ステップＳ１１１）、ユーザがＥＶＦ用の接眼部３０を覗いていなければ、信号処理・制御部１は、ステップＳ１２１ａに移り、引出判定部１０４によりタッチパネル付背面ＬＣＤ８が図１２に示すようにカメラ本体１０から引き出されているか否かを判定する。
【００６８】
この判定の結果、タッチパネル付背面ＬＣＤ８がカメラ本体１０から引き出されていなければ、信号処理・制御部１は、上記同様に、ステップＳ１２１において、ライブビュー表示をタッチパネル付背面ＬＣＤ８に行う。  
これ以降、信号処理・制御部１は、上記同様に、ステップＳ１２２において、例えばトーンカーブの調整等の画質調整を行うか否かを判定し、画質調整を行うのであれば、ステップＳ１２３において、タッチパネル付背面ＬＣＤ８に画質調整用画質調整用表示、例えば図２に示すようなトーンカーブの調整用データＴ、図６に示すようなホワイトバランスを調整するための調整用データＷ、又は図７に示すような露出を調整するための調整用データＥ等を表示し、かつライブビュー表示を消す。
【００６９】
タッチパネル付背面ＬＣＤ８をカメラ本体１０から引き出していなければ、ユーザは、タッチパネル付背面ＬＣＤ８に表示されているトーンカーブの調整等の画質調整用表示を見て画質を調整していることが多く、ライブビュー表示を消してあれば、トーンカーブの調整等の画質調整用表示のみがタッチパネル付背面ＬＣＤ８に表示され、トーンカーブの調整等の画質調整の操作がし易くなる。
【００７０】
この後、信号処理・制御部１は、ステップＳ１２４において、トーンカーブ等の画質調整を終了するか否かを判定し、終了であれば、ステップＳ１２５において、タッチパネル付背面ＬＣＤ８に表示しているトーンカーブ等の画質調整用表示を終了し、これと同時に、ライブビューをタッチパネル付背面ＬＣＤ８に表示する。
【００７１】
一方、タッチパネル付背面ＬＣＤ８がカメラ本体１０から引き出されていれば、信号処理・制御部１は、ステップＳ１２１ａからステップＳ１５１に移り、ライブビュー表示をタッチパネル付背面ＬＣＤ８に行う。  
信号処理・制御部１は、ステップＳ１５２において、例えばトーンカーブの調整等の画質調整を行うか否かを判定し、画質調整を行うのであれば、ステップＳ１５３において、タッチパネル付背面ＬＣＤ８に画質調整用表示、例えば図２に示すようなトーンカーブの調整用データＴ、図６に示すようなホワイトバランスを調整するための調整用データＷ、又は図７に示すような露出を調整するための調整用データＥ等をライブビュー表示に重畳して表示する。この場合、画質調整部１０１は、タッチパネル付背面ＬＣＤ８に表示する画質調整用表示の例えば明るさを予め設定された値だけ大きく設定する。
【００７２】
タッチパネル付背面ＬＣＤ８をカメラ本体１０から引き出していれば、ユーザは、タッチパネル付背面ＬＣＤ８に表示されているライブビュー表示を観察しながら被写体の静止画又は動画を撮像することが多い。この場合、トーンカーブの調整等の画質調整用表示をライブビュー表示に重畳して表示することにより、ライブビュー表示を観察しながら被写体の静止画又は動画の撮像を行い、かつこの撮像時にトーンカーブの調整等の画質調整用表示を見て画質を調整することができる。
【００７３】
信号処理・制御部１は、ステップＳ１５４において、トーンカーブ等の画質調整を終了するか否かを判定し、終了であれば、ステップＳ１５５において、タッチパネル付背面ＬＣＤ８に表示しているトーンカーブ等の画質調整用表示の表示を終了する。  
なお、信号処理・制御部１は、タッチパネル付背面ＬＣＤ８にライブビュー表示を行っている状態に（ステップＳ１５１）、例えばトーンカーブの調整等の画質調整を行わず、ステップＳ１５６において、タッチパネル付背面ＬＣＤ８にタッチ操作が行われると、信号処理・制御部１は、ステップＳ１３１に移り、上記同様に、静止画の撮像動作を行うのか否かを判定し、静止画の撮像を行うのであれば、ＡＦ処理等の撮影準備動作を行い、続いてＡＥ動作を行い、撮像素子２を介して得られた静止画の画像データを画像処理し、ステップＳ１３２において、画質調整用表示において選択された例えばトーンカーブの調整用データＴに基いて静止画の画像データの画質を調整し、ステップＳ１３３において、画質調整された静止画の画像データにヘッダを付与して静止画像ファイルを生成し、この静止画像ファイルを記録部４に記憶する。
【００７４】
このように上記第２の実施の形態によれば、タッチパネル付背面ＬＣＤ８がカメラ本体１０から引き出されたか否かを判定し、タッチパネル付背面ＬＣＤ８が引き出されると、タッチパネル付背面ＬＣＤ８にライブビューを優先表示する。この場合、ユーザがＥＶＦ用の接眼部３０を覗いておらず、かつタッチパネル付背面ＬＣＤ８が図１２に示すようにカメラ本体１０から引き出されていると、タッチパネル付背面ＬＣＤ８に表示されているライブビュー表示にトーンカーブ等の操作画面を重畳する。  
又、ユーザがＥＶＦ用の接眼部３０を覗いておらず、かつタッチパネル付背面ＬＣＤ８が引き出されていない場合、タッチパネル付背面ＬＣＤ８にトーンカーブ等の画質調整用表示と共に、当該タッチパネル付背面ＬＣＤ８のライブビュー表示の明るさを小さく設定し、例えばライブビュー表示を消してもよい。
【００７５】
このようにタッチパネル付背面ＬＣＤ８をカメラ本体１０から引き出していなければ、ユーザは、タッチパネル付背面ＬＣＤ８に表示されているトーンカーブの調整等の画質調整用表示を見て画質を調整することができ、ライブビュー表示を消せば、トーンカーブの調整等の画質調整用表示のみがタッチパネル付背面ＬＣＤ８に表示され、トーンカーブの調整等の画質調整の操作がし易くなる。
【００７６】
タッチパネル付背面ＬＣＤ８をカメラ本体１０から引き出していれば、ユーザは、タッチパネル付背面ＬＣＤ８に表示されているライブビュー表示を観察しながら被写体の静止画又は動画を撮像することができ、トーンカーブの調整等の画質調整用表示をライブビュー表示に重畳して表示することにより、ライブビュー表示を観察しながら被写体の静止画又は動画の撮像を行い、かつこの撮像時にトーンカーブの調整等の画質調整用表示を見て画質を調整することができる。
【００７７】
なお、本発明は、上記各実施の形態に限定されるものでなく、例えば信号処理・制御部１を次の通り変形してもよい。  
例えば、信号処理・制御部１は、撮像素子２から出力される画像信号を画像処理してＥＶＦ用の接眼部３０とタッチパネル付背面ＬＣＤ８とにそれぞれライブビュー表示し、タッチパネル８Ａに対するタッチにより撮像動作を実行し、かつトーンカーブ等の画質調整用表示をライブビュー表示に重畳し、トーンカーブ等の画質調整用表示の明るさをＥＶＦ用の接眼部３０とタッチパネル付背面ＬＣＤ８とに対してそれぞれ調整可能とし、トーンカーブ等の画質調整用表示を表示中にタッチパネル８ａがタッチされても撮像動作の実行をしないように構成してもよい。  
このような構成においても、信号処理・制御部１の画質調整部１０１は、撮像時にトーンカーブ等の画質調整用表示の明るさを小さく設定し、画質調整時にトーンカーブ等の画質調整用表示の明るさを大きく設定する。  
上記各実施の形態では、画質調整用表示を、単純なグラフの線やスーパーインポーズ表示の文字、記号などでも重畳表示ならよく、明るさと書いたが、被写体像に対して比較的目立つように表示したり、比較的目立たないように表示したりする表示態様の変更であるならば、線や文字や記号の濃さや、太さ、色、透過度、点線、実線等、表示の強調具合、目立ち具合（視認度）を切り換えられるものであれば何でもよい。もちろんこれらは被写体像に依存するので、これを反映してもよい。
【符号の説明】
【００７８】
１：信号処理・制御部、２：撮像素子、３：接眼センサ（アイセンサ）、４：記録部、６：操作判定部、８：第２の表示部（タッチパネル付背面ＬＣＤ）、８ａ：タッチパネル、９：操作部、１０：カメラ本体、１２：通信部、１４：通信部、２０：交換レンズ部、２１：レンズ制御部、２３：操作部と、２４ａ，２４ｂ：駆動部、２５ａ，２５ｂ：位置検出部、２６：レンズ系、２７：記録部、２８：通信部、２６ａ：ズーム部、２６ｂ：ピント部、２６ｃ：絞り、３０：ＥＶＦ用の接眼部、１０１：画質調整部、１０２：タッチ検出部、１０３：表示制御部、１０４：引出判定部。
【図１Ａ】
0005959217.tif 000002
【図１Ｂ】
0005959217.tif 000003
【図２】
0005959217.tif 000004
【図３】
0005959217.tif 000005
【図４】
0005959217.tif 000006
【図５】
0005959217.tif 000007
【図６】
0005959217.tif 000008
【図７】
0005959217.tif 000009
【図８】
0005959217.tif 000010
【図９】
0005959217.tif 000011
【図１０】
0005959217.tif 000012
【図１１】
0005959217.tif 000013
【図１２】
0005959217.tif 000014
【図１３】
0005959217.tif 000015
【図１４】
0005959217.tif 000016